(57)【要約】【課題】蒸発等による排水トラップの封水量の減少分を自動的に補水して排水トラップの封水を長期間維持することを目的とした排水トラップ用の自動補水器を提供するものである。【解決手段】有底筒状の底部から内側へ排水管ｂを侵入立設させた本体ａと、排水管ｂの吸込口とその周囲に被せた椀状のキャップ体ｃとから成り、本体ａの底部に排水を貯留させて流路に封水部ｄを形成してなる排水トラップｔに取り付けられるものであって、上記本体ａの上方開口に適合閉塞させる気密性の補水タンク１と、補水タンク１に接続されて補水タンク１内の水と前記封水部ｄとを気密に連通させる補水管２とする。また、補水タンク１を貫通して、排水トラップｔの本体ａの内側と外側とを通気させる通気管３を兼ねた把持部３ａを設ける。【選択図】      図１
2004332472.tif 000002
【特許請求の範囲】
【請求項１】
有底筒状の底部から内側へ排水管（ｂ）を侵入立設させた本体（ａ）と、該排水管（ｂ）の吸込口とその周囲に被せた椀状のキャップ体（ｃ）とから成り、該本体（ａ）の底部に排水を貯留させて流路に封水部（ｄ）を形成してなる排水トラップ（ｔ）に取り付けられるものであって、
上記本体（ａ）の上方開口に適合閉塞させる気密性の補水タンク（１）と、
該補水タンク（１）に接続されて補水タンク（１）内の水（Ｗ）と前記封水部（ｄ）とを気密に連通させる補水管（２）と、からなることを特徴とした排水トラップ用の自動補水器。
【請求項２】
補水タンク（１）を貫通して、排水トラップ（ｔ）の本体（ａ）の内側と外側とを通気させる通気管（３）を兼ねた把持部（３ａ）を設けたことを特徴とする請求項１記載の排水トラップ用の自動補水器。
【発明の詳細な説明】
【０００１】
【産業上の利用分野】
本願発明は、排水トラップの封水へ自動的に補水する排水トラップ用の自動補水器に関する。
【０００２】
【従来の技術】
従来から、家庭用としては風呂場や流し台等の排水口、業務用としては洗浄室内や作業場の排水口には、排水配管の下流側からの臭気や害虫類の侵入を防止するために、排水トラップが設けられている。かかる排水トラップの種類としては、排水の吸い込み口直下の管をＳ字状あるいはＰ字状に屈曲させて封水部を設けたＳトラップやＰトラップがある。これら排水トラップでは、排水時にその一部を封水部に残留させることによって、排水の流路を封水するものである。
【０００３】
図４に示す従来例の排水トラップｔは、上方開放で有底筒状の本体ａの底部に排水管ｂを侵入させて立上り部を設け、該排水管ｂの上部と周囲を離隔状態で囲む下方開放の椀状または吊りがね（ベル）状のキャップ体ｃを被せている。これにより排水の一部を該排水管ｂの上端とキャップ体ｃの下端との間に貯留し、キャップ体ｃの外側から内側へ至る排水流路を封水する封水部ｄとしたものである。また、キャップ体ｃの上には排水に混入した固形物を取り除くため、多数個の開口を有する円盤状の目皿ｅを配置し、本体ａの目皿ｅより上位側には、１または２以上の排水元に接続される入水管ｆを接続している。さらに、排水トラップｔの上部に取り付けた上蓋ｇには、排水トラップｔの封水部ｄに生じる気圧差をなくして封水破壊を防ぐ通気管ｈを取り付けている。かかる排水トラップｔは、通常、キャップ体ｃの形状がベル状（吊りがね状）または椀状を成すことからベルトラップまたはワントラップと称されている。
【０００４】
１または２以上の入水管ｆから排水トラップｔの内部に排水が入水すると、キャップ体ｃの最下部から排水管ｂの上端までの区間が封水を貯留する封水部ｄとなり、封水部ｄの上流側である排水トラップｔの内部と封水部ｄの下流側である排水管ｂ側の通気が遮断される一方、排水は排水管ｂの上端から出水することで排水トラップとして機能する。
【０００５】
さらに、特許文献１には、排水トラップの封水が蒸発して無くなっても悪臭の侵入を遮断できるように、排水吸込口を密閉封鎖可能な構成とした排水トラップの技術が開示されている。
【０００６】
【特許文献１】特開２０００−３２８６２５  図１等。
【０００７】
【発明が解決しようとする課題】
ところで上記各従来例の排水トラップは、排水毎にその一部を封水部に貯留させて封水を行っているため、頻繁に排水が行われる場合には問題無いが、排水頻度の少ない排水トラップにおいては、長期間の自然蒸発により、封水が多量に減少して排水トラップが機能しなくなることがあった。このことは特に、ボイラー室や発電室などの高温雰囲気下の建屋内に設置された排水トラップにおいては、封水の蒸発速度が早くなるため無視できない課題であった。
【０００８】
そのため、定期的に排水トラップの封水状態を監視して、減少した封水量を適宜補充することが行われているが、多数ある排水トラップの個別点検は作業的にも労力的に煩雑なものであった。
また、特許文献１に開示された排水トラップは、封水減少による臭気侵入を防止するものではあるが、トラップの機能自体を回復させるものでは無いため不十分であるばかりでなく、排水の都度に排水吸込口の開閉操作を毎回行う必要があり、誤って排水吸込口を開口せずに排水してしまうと排水ができずに排水口付近が浸水してしまう恐れがあった。
【０００９】
【目的】
そこで、本願発明は、上記課題に着目し、蒸発等による排水トラップの封水量の減少分を自動的に補水して排水トラップの封水を長期間維持することを目的とした排水トラップ用の自動補水器を提供するものである。
【００１０】
【課題を解決するための手段】
上記課題を解決するため、本願発明に係る排水トラップ用の自動補水器は以下のように構成している。すなわち、請求項１では、有底筒状の底部から内側へ排水管（ｂ）を侵入立設させた本体（ａ）と、該排水管（ｂ）の吸込口とその周囲に被せた椀状のキャップ体（ｃ）とから成り、該本体（ａ）の底部に排水を貯留させて流路に封水部（ｄ）を形成してなる排水トラップ（ｔ）に取り付けられるものであって、上記本体（ａ）の上方開口に適合閉塞させる気密性の補水タンク（１）と、該補水タンク（１）に接続されて補水タンク（１）内の水（Ｗ）と前記封水部（ｄ）とを気密に連通させる補水管（２）と、からなることを特徴とする。請求項１記載の構成を採用することにより、排水トラップに用いられた従前の蓋に替えて補水タンクが配置されるから、その取り付けが容易となる。
【００１１】
請求項２では、請求項１における補水タンク（１）を貫通して、排水トラップ（ｔ）の本体（ａ）の内側と外側とを通気させる通気管（３）を兼ねた把持部（３ａ）を設けたことを特徴とする。請求項２記載の構成を採用することにより、新たに把持部を設ける必要がなくなり、補水タンクの取り扱いが容易になる。なお、本明細書および図面で用いる符号は発明の理解を容易にするために付したものであり、これにより本願発明を限定して解釈してはならない。
【００１２】
【発明の実施の形態】
以下に本願発明に係る排水トラップ用の自動補水器について図面に基づき詳細に説明する。図１は本実施形態における排水トラップ用の自動補水器の一部切欠き組立て斜視図であり、図２および図３は本実施形態における排水トラップ用の自動補水器の説明図である。
【００１３】
本実施形態における排水トラップ用の自動補水器Ｐ（以下、「自動補水器」と省略。）は、補水タンク１、補水管２および通気管３とから主に構成している。なお、排水トラップ自体については従来例と同じ符号を付し、詳細な説明を省略する。
【００１４】
補水タンク１は、排水トラップｔと平面視が略同一形状を有する円筒形状の気密性を確保した貯水用の殻体であり、その底部の外周付近には排水トラップｔの上部に当該補水タンク１を係合させるための係合部材１ａを設けている。また、補水タンク１の底部（図１において、下方側。）には開閉可能な給水栓１ｂを設け、補水タンク１の側周部には補水タンク１内の水量を視認させるために透明小窓などからなる水量計１ｃを取り付けている。
【００１５】
補水管２は、目皿ｅの開口を貫通して、その先端部２ａを排水トラップｔの排水管ｂの上端の高さ位置から１０〜２０ｍｍ下の封水部ｄに差し込んだ補水用ホースであり、蒸発等により排水トラップｔの封水部ｄの水量が減少した場合に補水するためものである。なお、目皿ｅの開口が小さくて補水管２が貫通できない等の場合、必要に応じて目皿ｅを加工して補水管２を貫通させればよい。
また、通気管３は、補水タンク１の底部側から上面側へ突出するように連通させた通気用配管であり、補水タンク１の内部と隔離した状態で取り付けている。この通気管３は、補水タンク１の上面側へ突出した後、Ｕ字状に折り返して先端側が下向きとなるようにしている。この通気管３をかかる形状としたのは、排水トラップｔの封水部ｄを大気圧と同圧するためのものであると共に、当該補水タンク１を主体とする自動補水器Ｐの保持や取り扱いを便宜なものとする把持部３ａとしても機能させるためである。
【００１６】
【本実施形態の作用】
上記構成により、本実施形態の自動補水器Ｐは以下のように作用する。まず、排水トラップｔの封水部ｄの水位が補水管２の先端部２ａよりも上方にある場合、補水タンク１から補水管２の先端部２ａまでが気密状態であるため（大気開放されていないため）、補水タンク１内の水が封水部ｄに落水することはない。
【００１７】
一方、封水部ｄの封水の水位ｓ（以下「封水位」）が蒸発等により補水管２の先端部２ａよりも下がってくると、補水タンク１内の気密状態が壊れ補水管２の先端部２ａから空気が侵入する。これにより補水タンク１内の水は自然落下して封水量を増やして封水位ｓを上昇させ、再び補水管２の先端部２ａを塞いで空気の侵入を止めることとなる。そして、上昇する封水位ｓにおける補水管２内のエネルギーヘッドが大気圧（封水位ｓにおけるエネルギーヘッド）と均衡する点で補水の移動が停止することとなる。これにより封水の水位は補水がある限りにおいて均衡する位置を維持することとなる。なお、補水管２の先端部２ａの位置は、設定する封水の水位より下位に配置させることばもちろんであるが、均衡する位置は補水タンクの高さ位置によっても影響することとなる。したがって、均衡する位置の設定は、少なくとも排水管ｂの上端縁以下となるように適宜設定する必要がある。
【００１８】
補水タンク１の補給水Ｗの残量は水量計１ｃにより確認して、残量が少なくなった場合には、補水タンク１を排水トラップｔから取外し、上下反転等させて給水栓１ｂを外して給水を行った後給水栓１ｂを閉め、封水部ｄに補水管２の先端部２ａを差し込んで再度排水トラップｔの上部へ係合させればよい。
【００１９】
【他の実施形態の可能性】
本願発明は、以下のように変形することも可能である。すなわち、係合部材１ａの取り付け位置や構造は特に限定するものではないから、排水トラップの形状に合わせて適宜変更可能である。また、給水栓１ｂ、水量計１ｃの取り付け位置や構造についても特に限定するものではないから、補水タンク１の上面側に配置することも可能である。
【００２０】
【効果】
以上述べたように、本願発明に係る排水トラップ用の自動補水器によれば、封水の蒸発等による封水破壊を長期間抑制することができる。従って、定期的に補水タンクの水量の残量確認を行い必要に応じて給水するだけでよく、排水設備の保守管理の頻度を著しく減少させることが可能となる。
【図面の簡単な説明】
【図１】本実施形態における排水トラップ用の自動補水器の一部切欠き組立て斜視図である。
【図２】本実施形態における排水トラップ用の自動補水器の説明図である。
【図３】本実施形態における排水トラップ用の自動補水器の説明図である。
【図４】従来構成における排水トラップの説明図である。
【符号の説明】
Ｐ  自動補水器
１  補水タンク
１ａ  係合部材
１ｂ  給水栓
１ｃ  水量計
２  補水管
２ａ  先端部
３  通気管
３ａ  把持部
ｔ  排水トラップ
ａ  本体
ｂ  排水管
ｃ  キャップ体
ｄ  封水部
ｅ  目皿
ｆ  入水管
ｇ  上蓋
ｈ  通気管
ｓ  封水位
Ｗ  補給水
【図１】
2004332472.tif 000003
【図２】
2004332472.tif 000004
【図３】
2004332472.tif 000005
【図４】
2004332472.tif 000006